(57)【要約】【課題】  ドライバー等の工具を使用することなく、点灯照度を設定することができる自動点滅器を提供する。【解決手段】  自動点滅器１は、点灯照度設定用の回転式のボリューム１７、及び外部電源と照明負荷の電源線が接続される端子部を有する端子台１９を備え、周囲の照度を検出して、検出した照度と点灯照度との比較結果に応じて外部電源から照明負荷への給電をオン・オフする回路ブロック１２と、周囲の光を取り込むための採光部及びボリューム１７の操作軸１７ａを操作するための操作孔２３を有して回路ブロック１２が収納される器体２とを具備し、操作軸１７ａの先端部に操作摘子２４を備えている。【選択図】図１
2006012643.tif 000002
【特許請求の範囲】
【請求項１】
点灯照度設定用の回転式の可変抵抗器を備え、周囲の照度を検出して、検出した照度と前記点灯照度との比較結果に応じて外部電源から照明負荷への給電をオン・オフする回路ブロックと、前記操作軸を操作するための操作孔を有して前記回路ブロックが収納される器体とを具備し、前記操作軸には、該操作軸を回転操作するための操作摘子が取り付けられていることを特徴とする自動点滅器。
【請求項２】
前記操作摘子は、前記器体の操作孔の周辺部に回転自在に支持されていることを特徴とする請求項１に記載の自動点滅器。
【請求項３】
前記操作摘子は、前記操作孔から出没自在に設けられていることを特徴とする請求項１に記載の自動点滅器。
【請求項４】
前記回路ブロックに、前記照明負荷を消灯するためのスイッチを設けたことを特徴とする請求項１乃至３のいずれか１項に記載の自動点滅器。
【発明の詳細な説明】
【技術分野】
【０００１】
本発明は、周囲の照度に応じて照明負荷の動作を自動で制御する自動点滅器に関する。
【背景技術】
【０００２】
従来から、周囲の照度を検出して、検出した照度が点灯照度よりも低くなったときに、外部電源から照明負荷への給電をオンして照明負荷を点灯し、検出した照度が点灯照度よりも高くなったときに、外部電源から照明負荷への給電をオフして照明負荷を消灯する、いわゆるＥＥスイッチと称される自動点滅器が提供されている。
【０００３】
この種の自動点滅器としては、図１０に示すような自動点滅器１０１が提供されている（特許文献１）。自動点滅器１０１は、図１０（ｂ），（ｃ）に示すように、点灯照度設定用の回転式の可変抵抗器（以下、ボリュームという）１０５、及び外部電源及び照明負荷の電源線（図示せず）が接続される端子部（図示せず）を有する端子台１０７を備え、周囲の照度を検出して、検出した照度と点灯照度との比較結果に応じて外部電源（図示せず）から照明負荷（図示せず）への給電をオン・オフする回路ブロック１０６と、光を取り込むための採光部１０３及びボリューム１０５の操作軸１０５ａを操作するための操作孔１０４を有して回路ブロック１０６が収納される器体１０２と、器体１０２の後面部に被着される裏板１０８と、器体１０２内に水が浸入することを防止するための防水パッキン１０９と、器体１０２を壁面等の造営面に取り付けるための絶縁性の取付枠１１０とを具備し、図１０（ｃ）に示すように、操作軸１０５ａの先端面部に、溝部１０５ｂが形成されている。
【特許文献１】特開昭５９−１３９５９６号公報（第３図）
【発明の開示】
【発明が解決しようとする課題】
【０００４】
上記の自動点滅器１０１は、操作軸１０５ａを回転操作してボリューム１０５の抵抗値を変化させることで、点灯照度を任意の値に設定することができ、これにより照明負荷の点灯・消灯を使用者の所望の照度で行えるようになっている。
【０００５】
しかし、上記の自動点滅器１０１において操作軸１０５ａを回転操作するためには、マイナスドライバー等の工具を器体１０２の操作孔１０４へ差し入れてマイナスドライバーの先端部を操作軸１０５ａの溝部１０５ｂに嵌め合わせ、この状態でマイナスドライバーを回転操作しなければならなかった。
【０００６】
このように、点灯照度を設定するためにわざわざマイナスドライバー等の工具を用いなければならないのは非常に面倒であり、また、ドライバーによる操作は非常に操作性の悪いものであった。
【０００７】
本発明は上述の点に鑑みて為されたもので、その目的は、ドライバー等の工具を使用することなく、点灯照度を設定することができる自動点滅器を提供することである。
【課題を解決するための手段】
【０００８】
上述の課題を解決するために、請求項１の発明では、点灯照度設定用の回転式の可変抵抗器を備え、周囲の照度を検出して、検出した照度と前記点灯照度との比較結果に応じて外部電源から照明負荷への給電をオン・オフする回路ブロックと、前記操作軸を操作するための操作孔を有して前記回路ブロックが収納される器体とを具備し、前記操作軸には、該操作軸を回転操作するための操作摘子が取り付けられていることを特徴とする自動点滅器とした。
【０００９】
請求項１の発明によれば、回転式の可変抵抗器の操作軸に操作摘子を取り付けてあるので、この操作摘子を手で回転操作すれば、操作軸が回転操作されて可変抵抗器の抵抗値が変化するから、点灯照度を任意の値に設定することができ、これにより、マイナスドライバー等の工具をわざわざ使用しなくても、点灯照度を設定することができる。
【００１０】
請求項２の発明では、請求項１に記載の構成に加えて、前記操作摘子は、前記器体の操作孔の周辺部に回転自在に支持されていることを特徴とする自動点滅器とした。
【００１１】
請求項２の発明によれば、操作摘子が器体に回転自在に支持されているので、操作摘子を回転操作等する際の荷重が全て器体にかかることになり、そのため、回転式の可変抵抗器に荷重がかからなくなるので、回転式の可変抵抗器に無理な荷重がかかって、回転式の可変抵抗器を破損してしまうことがなくなる。
【００１２】
請求項３の発明では、請求項１に記載の構成に加えて、前記操作摘子は、前記操作孔から出没自在に設けられていることを特徴とする自動点滅器とした。
【００１３】
請求項３の発明によれば、回転式の可変抵抗器を操作しないときには、操作摘子を操作孔内に押し込んで器体から突出しないように収納することができ、これにより第三者によるいたずら等を防止することができる。
【００１４】
請求項４の発明では、請求項１乃至３のいずれか１項に記載の構成に加えて、前記回路ブロックに、前記照明負荷を消灯するためのスイッチを設けたことを特徴とする自動点滅器とした。
【００１５】
請求項４の発明によれば、照明負荷を点灯しておく必要がない場合には、照明負荷を消灯することができ、省エネルギー化を図ることができる。
【発明の効果】
【００１６】
本発明は、操作摘子を手で回転操作することで、操作軸が回転操作されて可変抵抗器の抵抗値が変化するから、点灯照度を任意の値に設定することができ、これにより、マイナスドライバー等の工具をわざわざ使用しなくても、点灯照度を設定することができるという効果がある。
【発明を実施するための最良の形態】
【００１７】
以下に、図１乃至９を用いて、本発明の音波受信装置の実施形態について説明する。
【００１８】
（実施形態１）
本実施形態の自動点滅器１は、図１（ａ）、（ｂ）に示すように、点灯照度設定用の回転式のボリューム１７、及び外部電源（図示せず）と照明負荷２９（図４参照）の電源線（図示せず）が接続される端子部（図示せず）を有する端子台１９を備え、周囲の照度を検出して、検出した照度と点灯照度との比較結果に応じて外部電源から照明負荷２９への給電をオン・オフする回路ブロック１２と、周囲の光を取り込むための採光部２２（図３参照）及びボリューム１７の操作軸１７ａを操作するための操作孔２３を有して回路ブロック１２が収納される器体２と、器体２の後面部に被着され、器体２内を保護するための裏板２６と、器体２内に水が浸入することを防止するための防水パッキン２７と、器体２を壁面３０（図４参照）等の造営面に取り付けるための取付枠２８とを具備し、操作軸１７ａの先端部に手動操作用の操作摘子２４を備えている。尚、図１（ａ）において、上方向を自動点滅器１の上方、左方向を自動点滅器１の左方、右方向を自動点滅器１の右方、下方向を自動点滅器１の下方、手前方向を自動点滅器１の前方とする。
【００１９】
器体２は、図３に示すように、例えば、不透光性の合成樹脂成から形成されたボディ３と透光性の合成樹脂から形成された採光カバー４とから構成されている。ボディ３は、不透光性の合成樹脂を用いて、略長方形の平板状の基台部３ａと略直方体の箱状の遮光カバー部３ｂとが一体に形成されている。基台部３ａは、図１（ｂ）に示すように、基台部３ａの上端側に開口部５を有した略長方形の平板状に形成されるとともに、基台部３ａの後面側の側縁部からは、後方へ突出する取付片６が複数形成されている。また、基台部３ａの短手方向（左右方向）における中間部の上端部及び下端部には、器体２を取付枠２８に取り付けるための取付ねじ７，７が挿通される取付孔８，８が形成されるとともに、基台部３ａの下端側の左右端部には、採光カバー４を基台部３ａに取付けるための取付ねじ９，９が挿通される挿通孔１０，１０が形成され、加えて、基台部３ａの略中央部には、裏板２６をボディ３に取り付けるための取付ねじ１１に対応するねじ孔（図示せず）が形成されている。
【００２０】
遮光カバー部３ｂは、下壁部及び後壁部が全面に亘って開口した略直方体の箱状を有し、基台部３ａの開口部５の周辺部に一体に突設されている。遮光カバー部３ｂの前壁の裏面部には、回路ブロック１２をボディ３に取り付けるための取付ねじ１３，１４，１５にそれぞれ対応するねじ孔（図示せず）を各別に備えた円筒部３ｃ（図１（ｂ）参照）が一体に突設されている。
【００２１】
回路ブロック１２は、受光素子１６及びボリューム１７を備えた回路基板部１８と、外部電源及び照明負荷２９等の電源線が電気的に接続される端子部を備えた端子台１９とから構成されている。回路基板部１８は、器体２の周囲の照度を検出するためのフォトトランジスタ等の受光素子１６と、操作軸１７ａを有し、抵抗値の変化により点灯照度を設定するための回転式のボリューム１７とを備えるとともに、受光素子１６により検出した照度とボリューム１７によって設定された点灯照度を比較して、周囲の照度が点灯照度を上回っていれば、外部電源から照明負荷２９への給電をオフし、周囲の照度が点灯照度を下回っていれば、外部電源から照明負荷２９への給電をオンする点滅制御回路部を備えている。また、回路基板部１８は、前記点滅制御回路部と端子台１９の端子部とを電気的に接続するための栓刃部（図示せず）を有し、取付ねじ１３，１４，１５がそれぞれ挿通される挿通孔（図示せず）を有している。
【００２２】
端子台１９は、外部電源及び照明負荷２９等の電源線が電気的に接続される、例えば速結端子である端子部を備え、この端子部と回路基板部１８の栓刃部を電気的に接続するための刃受部（図示せず）を備えている。該刃受部は、端子台１９の前壁から下壁にかけて、左右方向に並設されたスリット１９ａ，１９ａ，１９ａ内にそれぞれ対応して設けられており、回路基板部１８の栓刃部をスリット１９ａに差し込むことで、栓刃部と刃受部とが電気的に接続され、これにより点滅制御回路部と端子部とが電気的に接続されることになる。また、端子台１９の下面部の右端部には取付ねじ１５が挿通される挿通部２０ａを有する取付部２０が下方へ一体に突設され、端子台１９の左面部には取付ねじ１４が挿通される挿通部（図示せず）を有する取付部２１が左方へ一体に突設されている。
【００２３】
採光カバー４は、図２（ａ）に示すように、透光性の合成樹脂を用いて、上壁部及び後壁部が全面に亘って開口した略直方体の箱状を有し、下壁部には、左右方向に離間した採光部２２と操作孔２３とが形成されている。採光部２２は、例えば、下壁部の表裏に貫通する孔或いはレンズ等から構成され、受光素子１６により周囲の照度を検出するために器体２の周囲の光を器体２内に取り込むためのものであり、操作孔２３は、円形状の孔からなり、ボリューム１７の操作軸１７ａを回転操作するための操作摘子２４を回転自在に支持するためのものである。また、図２（ｂ）に示すように、この操作孔２３の内周面の上下方向における中間部には操作摘子２４を回転自在に支持するための支持部２３ａが周設してあり、該内周面の上端部には操作摘子２４の回転範囲を規制するためのストッパ２３ｂが突設してある。尚、支持部２３ａには、操作摘子２４を取り付けるための切欠部２３ｃが設けられている。さらに、採光カバー４の上端面には遮光カバー部３ｂ内に嵌入される突部４ａが突設されており、採光カバー４の内側面の下側角部には取付ねじ９，９に対応するねじ孔４ｃ，４ｃを備えたリブ４ｂ，４ｂが突設されている。
【００２４】
操作摘子２４は、手動操作するための摘み部２４ａと、該摘み部２４ａの一端側に一体に突設されてボリューム１７の操作軸１７ａの先端部と嵌合する嵌合部２４ｂとから構成されている。摘み部２４ａは、一端から他端へかけて縮径となるテーパ状の円柱であり、摘み部２４ａの側周面には円柱形状の高さ方向に走る凸部が円柱形状の円周方向に複数設けられるとともに、目印用突起２５が設けられている。嵌合部２４ｂは、摘み部２４ａの一端側の外径寸法よりも小さい外形寸法を有して、ボリューム１７の操作軸１７ａの先端部と嵌合する円筒形状に形成されている。加えて、嵌合部２４ｂの外側面には、操作摘子２４を操作孔２３の支持部２３ａに回転自在に支持させるための突起２４ｃが突設してあり、操作摘子２４は、この突起２４ｃを操作孔２３の支持部２３ａの切欠部２３ｃに挿通して、図１（ｂ）に示すように、摘み部２４ａと突起２４ｃとで支持部２３ａを挟むように配置されることで、採光カバー４に回転自在に支持されることになる。また、操作摘子２４を所定角度まで回転させた際には、突起２４ｃがストッパ２３ｂに当接することにより操作摘子２４の回転範囲を規制して、ボリューム１７の操作軸１７ａの可動範囲を超えて操作摘子２４を回転させることができないようにしてある。
【００２５】
裏板２６は、器体２内を保護するためのものであり、端子台１９に電源線を接続するための開口部２６ａを有する略長方形の平板状に形成され、裏板２６の短手方向の中間部の上端部には取付ねじ７が挿通される切欠２６ｂが設けられるとともに、下端部には、裏板２６をボディ３に取り付けるための取付ねじ１１が挿通される挿通孔２６ｃが設けられている。
【００２６】
防水パッキン２７は、器体２内に浸水することを防止するためのものであり、例えばゴム材料から略長方形の平板状に形成され、取付枠２８を収納するための凹部２７ａが後部に設けられるとともに、端子台１９に電源線を接続するための開口部２７ｂが設けられている。また、防水パッキン２７の前面部の側端部には、ボディ３の取付片６が嵌入される取付溝２７ｃが周設され、防水パッキン２７の短手方向の中央部における長手方向の両端部には、取付ねじ７，７が挿通される取付孔２７ｄ，２７ｄが形成されている。
【００２７】
取付枠２８は、器体２を建物の壁面３０（図４参照）等の造営面に取り付けるためのものであり、例えば、絶縁性材料を用いて中央部に開口部２８ａを有する略長方形の平板状に形成されている。また、取付枠２８の短手方向の中間部における長手方向の両端側には、取付枠２８を壁面３０に取り付けるための固定ねじ（図示せず）が挿通される挿通孔２８ｂ，２８ｂが形成され、各挿通孔２８ｂ，２８ｂの取付枠２８の長手方向における外方には、取付ねじ７，７に対応したねじ孔２８ｃ，２８ｃが形成されている。
【００２８】
本実施形態の自動点滅器１は、上記の部材により構成されており、各部材は次のようにして配置されている。
【００２９】
器体２には、回路基板部１８と端子台１９からなる回路ブロック１２が収納される。ここで、回路基板部１８は、受光素子１６とボリューム１７の操作軸１７ａとを採光カバー４の採光部２２と操作孔２３とにそれぞれ臨むように位置させるとともに、回路基板部１８の挿通孔と遮光カバー部３ｂの円筒部３ｃのねじ孔とを連通させて、取付ねじ１３を円筒部３ｃのねじ孔に螺入することでボディ３に取り付けられている。次に、端子台１９は、ボディ３の開口部５からボディ３内に差し入れられて、回路基板部１８の栓刃部をスリット１９ａ内の刃受部に機械的、電気的に接続するとともに、取付部２０の挿通部２０ａと取付部２１の挿通部とを、回路基板部１８の挿通孔、及び円筒部３ｃのねじ孔にそれぞれ連通させ、取付ねじ１４，１５を円筒部３ｃ，３ｃのねじ孔にそれぞれ螺入することでボディ３に取り付けられている。
【００３０】
このようにして回路ブロック１２が取り付けられたボディ３には、採光カバー４が次のようにして取り付けられている。すなわち、採光カバー４は、遮光カバー部３ｂ内に突部４ａを嵌入するとともに、ボディ３の挿通孔１０，１０と採光カバー４のリブ４ｂ，４ｂのねじ孔４ｃ，４ｃとを連通するようにしてボディ３に位置決めされ、取付ねじ９，９をねじ孔４ｃ，４ｃに螺入することで取り付けられている。このとき、回路基板部１８の受光素子１６とボリューム１７は、採光カバー４の採光部２２と操作孔２３にそれぞれ臨んでいる。また、ボディ３に取り付けられた採光カバー４の操作孔２３には、操作摘子２４が取り付けられている。操作摘子２４は、操作孔２３の支持部２３ａの切欠部２３ｃに操作摘子２４の突起２４ｃを挿通させて、摘み部２４ａと突起２４ｃとで支持部２３ａを挟むようにして採光カバー４に配置されるとともに、嵌合部２４ｂに操作軸１７ａの先端部が嵌合されて、採光カバー４に回転自在に支持されている。
【００３１】
以上により、器体２に回路ブロック１２が収納されることになり、この器体２には、裏板２６が、開口部２６ａに端子台１９を臨ませて、挿通孔２６ｃをボディ３の基台部３ａのねじ孔に連通させて、取付ねじ１１を該ねじ孔に螺入して取り付けられている。このようにして裏板２６が取り付けられた器体２には、防水パッキン２７が、開口部２７ａに端子台１９を臨ませて、基台部３ａの後面部に突設された取付片６を防水パッキン２７の取付溝２７ｃに嵌入することで取り付けられている。
【００３２】
そして、器体２は、あらかじめ壁面３０に取り付けておいた取付枠２８を、防水パッキン２７の凹部２７ａに収納するとともに、ボディ３の取付孔８，８と、防水パッキン２７の取付孔２７ｄ，２７ｄと、取付枠２８のねじ孔２８ｃ，２８ｃとを連通させて、取付ねじ７，７をねじ孔２８ｃ，２８ｃに螺入することで、図４に示すように、壁面３０に取り付けられることになる。
【００３３】
以上により構成された自動点滅器１は、上述したように壁面３０に取り付けられ、端子台１９の端子部に、外部電源（図示せず）、及び例えば水銀灯等の照明負荷２９の電源線が接続されて使用され、受光素子１６により検出した周囲の照度と、ボリューム１７により設定された点灯照度とを比較し、周囲の照度が点灯照度よりも低くなったときに、外部電源から照明負荷２９への給電をオンして照明負荷を点灯し、周囲の照度が点灯照度よりも高くなったときに、外部電源から照明負荷２９への給電をオフして照明負荷を消灯するという動作を行うのである。加えて、ボリューム１７を操作摘子２４により操作して点灯照度を使用者の所望の値に設定することができ、これにより照明負荷２９の点灯・消灯を使用者の所望の照度で行えるようになっている。
【００３４】
本実施形態の自動点滅器１によれば、回転式のボリューム１７の操作軸１７ａに操作摘子２４を取り付けてあるので、この操作摘子２４を手で回転操作すれば、操作軸１７ａが回転操作されてボリューム１７の抵抗値が変化するから、点灯照度を任意の値に設定することができ、これにより、ドライバー等の工具をわざわざ使用しなくても、手動で点灯照度を設定することができる。加えて、操作摘子２４の摘み部２４ａをテーパ状に形成してあるので、操作性が良い。
【００３５】
また、操作摘子２４を器体２の採光カバー４に回転自在に支持させてあるので、操作摘子２４を回転操作等する際の荷重が全て採光カバー４、すなわち器体２にかかることになる。そのため、回転式のボリューム１７に荷重がかからなくなるので、ボリューム１７に無理な荷重がかかって、ボリューム１７を破損してしまうことがなくなる。さらに、採光カバー４の操作孔２３にストッパ２３ｂを突設してあり、操作摘子２４を所定角度回転させた際には、操作摘子２４の突起２４ｃがストッパ２３ｂに当接して、操作摘子２４を操作軸１７ａの可動範囲を超えて回転操作できないようにしてあり、これにより、ボリューム１７が破損することを防止している。
【００３６】
ところで、上記の自動点滅器１は、ドライバー等の工具を使用することなく、手で操作することができるようにしたものであるが、図５及び図６に示すように、操作摘子２４の他端面部に、例えばプラスドライバーの先端形状に対応した十字状の溝部３１を形成して、プラスドライバーにより操作することを可能にしても良い。尚、溝部３１は、プラスドライバーに対応した十字状のものに限られるものではなく、マイナスドライバーに対応した形状としても良く、使用する工具に応じて好適な形状とすることができる。
【００３７】
（実施形態２）
本実施形態の自動点滅器１は、上記の実施形態１に比べて、図７（ａ）〜（ｃ）に示すように、ボリューム、操作摘子、及び採光カバーの構成が異なっており、これらによって操作摘子を操作孔に出没自在に設けたことに特徴がある。尚、その他の構造は上記実施形態１と略同様であるので同一の符号を付し説明を省略する。又、図７においては回路ブロック１２の部品を一部省略してある。  
【００３８】
ボリューム３２は、回転操作される操作軸３２ａを有し、抵抗値の変化により点灯照度を設定するための回転式のボリュームであるが、操作軸３２ａをボリューム本体３２ｂから出没できるように構成されている。このようなボリューム３２は、例えば、操作軸３２ａが弾性体（図示せず）によってボリューム本体３２ｂから突出する方向に付勢されており、操作軸３２ａを前記弾性体の付勢力に逆らってボリューム本体３２ｂへ所定距離押し込んだ際に、操作軸３２ａがボリューム本体３２ｂに係止されて押し込まれた状態を保持し、ここからさらに操作軸３２ａを押し込むと、係止状態が解除されて操作軸３２ａが元の位置に復帰するというような出没動作を行うものである。
【００３９】
操作摘子３３は、手動操作するための摘み部３３ａと、該摘み部３３ａの一端面から一体に突設されてボリューム３２の操作軸３２ａの先端部と嵌合する円筒形状の嵌合部３３ｂとから構成されている。摘み部３３ａは、一端から他端へかけて縮径となるテーパ形状を有し、一端部に鍔部３４が側方へ一体に突設された円柱形状に形成され、摘み部３３ａの側周面には円柱形状の高さ方向に走る凸部が円柱形状の円周方向に複数設けられるとともに、目印用突起３５が設けられている。
【００４０】
採光カバー４は、上記実施形態１と同様に形成されているが、操作孔３６の構成が上記実施形態１の操作孔２３と異なっている。すなわち、本実施形態において採光カバー４に形成される操作孔３６は、操作摘子３３を挿通できる程度の大きさに形成された円形状の孔からなり、図７（ａ），（ｂ）に示すように、この操作孔３６の内周面の下端部には操作摘子３３の鍔部３４と当接する規制突起３７が周設してあるものである。
【００４１】
本実施形態の自動点滅器１は、上記のボリューム３２、操作摘子３３、及び採光カバー４を備えて構成されており、各部材は次のようにして配置されている。尚、裏板１６、防水パッキン２７、及び取付枠２８については上記実施形態１と同様なので説明を省略する。
【００４２】
器体２には、回路基板部１８と端子台１９からなる回路ブロック１２が収納される。ここで、回路基板部１８は、受光素子１６とボリューム３２の操作軸３２ａとを採光カバー４の採光部２２と操作孔３６とにそれぞれ臨むように位置させるとともに、回路基板部１８の挿通孔と遮光カバー部３ｂの円筒部３ｃのねじ孔とを連通させて、取付ねじ１３を円筒部３ｃのねじ孔に螺入することでボディ３に取り付けられている。次に、端子台１９は、ボディ３の開口部５からボディ３内に差し入れられて、回路基板部１８の栓刃部をスリット１９ａ内の刃受部に機械的、電気的に接続するとともに、取付部２０の挿通部２０ａと取付部２１の挿通部とを、回路基板部１８の挿通孔、及び円筒部３ｃのねじ孔にそれぞれ連通させ、取付ねじ１４，１５を円筒部３ｃ，３ｃのねじ孔にそれぞれ螺入することでボディ３に取り付けられている。
【００４３】
このようにして回路ブロック１２が取り付けられたボディ３には、採光カバー４が次のようにして取り付けられている。すなわち、採光カバー４は、遮光カバー部３ｂ内に突部４ａを嵌入するとともに、ボディ３の挿通孔１０，１０と採光カバー４のリブ４ｂ，４ｂのねじ孔４ｃ，４ｃとを連通するようにしてボディ３に位置決めされ、取付ねじ９，９をねじ孔４ｃ，４ｃに螺入することで取り付けられている。このとき、回路基板部１８の受光素子１６とボリューム３２は、採光カバー４の採光部２２と操作孔３６にそれぞれ臨んでいる。また、ボディ３に取り付けられた採光カバー４の操作孔３６には、操作摘子３３が挿入されており、操作摘子３３は、操作孔３６に採光カバー４の裏面側から挿入されて、鍔部３４と規制突起３７とが当接するように位置し、嵌合部３３ｂに操作軸３２ａの先端部が嵌合されている。
【００４４】
以上により構成された自動点滅器１では、操作軸３２ａがボリューム本体３２ｂに出没自在に設けられているため、操作摘子３３を押し込むと、操作軸３２ａが上述したようにボリューム本体３２ｂ内に押し込まれて係止されることになるから、図７（ｂ）に示すように、操作摘子３３を操作孔３６内に収納することができるようになっている。また、図７（ｂ）の状態からさらに操作摘子３３を押し込むと、操作軸３２ａの係止状態が解除されて、操作軸３２ａが図７（ａ）の状態に戻り、操作摘子３３も再び操作孔３６から一部が突出することになる。
【００４５】
本実施形態の自動点滅器１によれば、点灯照度の設定を行わないときには、操作摘子３３を操作孔３６内に押し込んで器体２から突出しないように収納することができ、これにより第三者によるいたずらを防止することができる。また、採光部２２に近接する操作摘子３３を操作孔３６内に収納することで、操作摘子３３によって採光部２２に入る光を妨げてしまうことを防止することができる。
【００４６】
（実施形態３）
本実施形態の自動点滅器１は、上記の実施形態１に比べて、図８、図９に示すように、照明負荷消灯用のスイッチ３８を設けたことに特徴があり、その他の構造は上記実施形態１と略同様であるので同一の符号を付し説明を省略する。
【００４７】
回路ブロック１２は、図９に示すように、受光素子１６、ボリューム１７、及びスイッチ３８を備えた回路基板部１８と、外部電源及び照明負荷２９等の電源線が電気的に接続される端子部を備えた端子台１９とから構成されている。このスイッチ３８は、例えば、プッシュスイッチ等の押し込み操作される操作釦３８ａを有する押釦式のスイッチであり、受光素子１６の左方に位置し、操作釦３８ａの先部を下方へ向けて回路基板部１８に実装されている。また、スイッチ３８は、操作釦３８ａの押し込み操作によって外部電源から照明負荷２９への給電をオン・オフすることができるように設けられており、従って、スイッチ３８を操作することで、周囲の照度が点灯照度を下回って照明負荷２９が点灯している際に、照明負荷２９を任意に点灯・消灯することができるようになっている。
【００４８】
一方、採光カバー４の下面部には、上記の採光部２２及び操作孔２３に加えて、図８（ｂ）に示すように、採光部２２の左方に、スイッチ３８の操作釦３８ａを操作するための操作孔３９が新たに形成されており、図８（ｂ）に示すように、採光カバー４をボディ３に取り付けた際には、操作孔３９から操作釦３８ａの先端部が器体２の外方へ突出されることになる。
【００４９】
このようにスイッチ３８を設けることによって、照明負荷２９を任意に消灯することができるようになるから、例えば、照明負荷２９を点灯する必要がない場合は、スイッチ３８を操作して消灯することで、省エネルギー化を図ることができる。また、自動点滅器１は主に建物の外部に配置されるものであり、一般的には、屋内から照明負荷２９の消灯を行えるように、別途スイッチ装置が設けられているものであるが、本実施形態では自動点滅器１自体にスイッチ３８を設けてあるので、外部から照明負荷２９の消灯を行え、これにより照明負荷２９を消灯したい場合に、屋内に戻ったりする必要が無くなり、非常に便利である。
【図面の簡単な説明】
【００５０】
【図１】（ａ）は、本発明の実施形態１の自動点滅器の前面図であり、（ｂ）は、同上の自動点滅器の断面図である。
【図２】（ａ）は、同上の自動点滅器の採光カバー及び操作摘子を示す斜視図であり、（ｂ）は、同図（ａ）のＡ部の拡大図である。
【図３】同上の自動点滅器の分解斜視図である。
【図４】同上の自動点滅器の使用説明図である。
【図５】同上のその他の自動点滅器の分解斜視図である。
【図６】同上の自動点滅器の採光カバー及び操作摘子を示す斜視図である。
【図７】（ａ）は、本発明の実施形態２の自動点滅器の操作摘子収納前を示す断面図であり、（ｂ）は、同上の自動点滅器の操作摘子収納後を示す断面図であり、（ｃ）は、同上の自動点滅器の下面図である。
【図８】（ａ）は、本発明の実施形態３の自動点滅器を示す斜視図であり、（ｂ）は、同図（ａ）のＢ部の拡大図である。
【図９】同上の自動点滅器の分解斜視図である。
【図１０】（ａ）は、従来の自動点滅器を示す前面図であり、（ｂ）は、同上の自動点滅器の断面図であり、（ｃ）は、同上の自動点滅器の下面図である。
【符号の説明】
【００５１】
１    自動点滅器
２    器体
１２    回路ブロック
１７    ボリューム
１７ａ  操作軸
１９    端子台
２３    操作孔
２４    操作摘子
【図１】
2006012643.tif 000003
【図２】
2006012643.tif 000004
【図３】
2006012643.tif 000005
【図４】
2006012643.tif 000006
【図５】
2006012643.tif 000007
【図６】
2006012643.tif 000008
【図７】
2006012643.tif 000009
【図８】
2006012643.tif 000010
【図９】
2006012643.tif 000011
【図１０】
2006012643.tif 000012